(57)【要約】      （修正有）【課題】構造が単純で、重量も小さく、そのうえ手や足によって操作される操作アーム部の運動の自由度を高めて、同一の姿勢において複数の運動を行える運動器具を提供する。【解決手段】水平支持体２と、該水平支持体に設けられた垂直支持体３とからなり、かつ該水平支持体に対して垂直方向に延びる垂直支持体を備え、当該垂直支持体から左右両方向それぞれに延びる左アーム部４および右アーム部５がバネを介して当該垂直支持体に設けられてなる。【選択図】図１
0003107571.tif 000002
【実用新案登録請求の範囲】
【請求項１】
水平支持体と、
該水平支持体に設けられた垂直支持体とからなり、かつ該水平支持体に対して垂直方向に延びる垂直支持体
を備え、
当該垂直支持体から左右両方向それぞれに延びる左アーム部および右アーム部がバネを介して当該垂直支持体に設けられてなる
ことを特徴とする運動器具。
【請求項２】
前記左アーム部および右アーム部が、それぞれ、前記垂直支持体に対して旋回自在であり、
前記垂直支持体が、前記左アーム部および右アーム部それぞれの垂直支持体に対する旋回角度を調節するためのアーム旋回角度調節手段を備えてなる
請求項１記載の運動器具。
【請求項３】
前記左アーム部と右アーム部とのあいだの距離を調節するためのアーム間隔調節手段を備えてなる請求項１または２記載の運動器具。
【請求項４】
前記左アーム部および右アーム部が、それぞれの軸心の回りに回転可能である請求項１、２または３記載の運動器具。
【請求項５】
前記垂直支持体の高さを調節すための高さ調節手段を備えてなる請求項１、２、３または４記載の運動器具。
【請求項６】
前記水平支持部および垂直支持部が、それぞれ折りたたみ可能である請求項１、２、３、４または５記載の運動器具。
【請求項７】
前記垂直支持体が、
前記水平支持体に固着された内筒、および
一端において該内筒に折りたたみ可能に嵌め込まれる内筒受け入れ部を備え、他端において前記左アーム部および右アーム部を回転自在かつ入れ子式に支持するための水平部材と該水平部材に対して垂直に設けられた垂直部材からなるＴ字状パイプの垂直部材を入れ子式に受け入れるＴ字状パイプの受け入れ部を備える支持パイプ
を備え、
前記左アーム部および右アーム部が、
それぞれ前記Ｔ字状パイプの水平部材に入れ子式かつ回動自在に設けられたアーム取付パイプ、
前記アーム取付パイプに固着されたバネ取付用ブラケット、
前記バネ取付用ブラケットに前記取付パイプに対して垂直方向に延びるように一端が固着された引張コイルバネ、および
該引張コイルバネの他端に接続ピースを介して前記引張コイルバネの軸線の回りに回転自在に設けられた握り部を備え、
前記水平支持体が、前記垂直支持体に一端が固着された上部にシートが設けられた架台
を備えてなる
請求項１記載の運動器具。
【請求項８】
前記架台に対して回転自在に設けられた連結腕を介して折りたたみ可能に設けられた補助架台をさらに備え、該補助架台の上部にシートが設けられてなる請求項７記載の運動器具。
【考案の詳細な説明】
【技術分野】
【０００１】
本考案は運動器具に関する。さらに詳しくは、水平支持体に垂直に取り付けられた垂直支持体から左右両方向それぞれに延びる左アーム部および右アーム部がバネを介して当該垂直支持体に設けられた運動器具に関する。
【背景技術】
【０００２】
従来、ベンチプレス、バタフライ(butterfly)、プルダウン(pull-down)、アームカール(arm curl)、ローイング(rowing)、アームスイング(arm swing)、レッグバタフライ(leg butterfly)、レッグプレス(leg press)、アームプレス(arm press)といった運動器具は、手や足によって操作される操作アーム部が、錘や油圧シリンダによって負荷をかけられている（例えば、特許文献１参照）。このため、従来の運動器具は、構造がやや複雑で、重量も大きくなるばかりでなく、操作アーム部の運動の自由度が低いため、同一の姿勢における、複数のトレーニング（たとえば、アームカールとバタフライ）を実現することは困難である。
【０００３】
【特許文献１】特開２０００−８４１１２号公報
【考案の開示】
【考案が解決しようとする課題】
【０００４】
本考案の目的は、構造が単純で、重量も小さく、そのうえ手や足によって操作される操作アーム部の運動の自由度を高めて、同一の姿勢において複数のトレーニング（ないしは、運動(exercise)）を行える運動器具を提供することである。
【課題を解決するための手段】
【０００５】
本考案の運動器具は、水平支持体と、
該水平支持体に設けられた垂直支持体とからなり、かつ該水平支持体に対して垂直方向に延びる垂直支持体
を備え、
当該垂直支持体から左右両方向それぞれに延びる左アーム部および右アーム部がバネを介して当該垂直支持体に設けられてなる
ことを特徴としている。
【０００６】
また、前記左アーム部および右アーム部が、それぞれ、前記垂直支持体に対して旋回自在であり、
前記垂直支持体が、前記左アーム部および右アーム部それぞれの垂直支持体に対する旋回角度を調節するためのアーム旋回角度調節手段を備えてなることが好ましい。
【０００７】
また、前記左アーム部と右アーム部とのあいだの距離を調節するためのアーム間隔調節手段を備えてなることが好ましい。
【０００８】
また、前記左アーム部および右アーム部が、それぞれの軸心の回りに回転可能であることが好ましい。
【０００９】
また、前記垂直支持体の高さを調節すための高さ調節手段を備えてなることが好ましい。
【００１０】
また、前記水平支持部および垂直支持部が、それぞれ折りたたみ可能であることが好ましい。
【００１１】
また、前記垂直支持体が、
前記水平支持体に固着された内筒、および
一端において該内筒に折りたたみ可能に嵌め込まれる内筒受け入れ部を備え、他端において前記左アーム部および右アーム部を回転自在かつ入れ子式に支持するための水平部材と該水平部材に対して垂直に設けられた垂直部材からなるＴ字状パイプの垂直部材を入れ子式に受け入れるＴ字状パイプの受け入れ部を備える支持パイプ
を備え、
前記左アーム部および右アーム部が、
それぞれ前記Ｔ字状パイプの水平部材に入れ子式かつ回動自在に設けられたアーム取付パイプ、
前記アーム取付パイプに固着されたバネ取付用ブラケット、
前記バネ取付用ブラケットに前記取付パイプに対して垂直方向に延びるように一端が固着された引張コイルバネ、および
該引張コイルバネの他端に接続ピースを介して前記引張コイルバネの軸線の回りに回転自在に設けられた握り部を備え、
前記水平支持体が、前記垂直支持体に一端が固着された上部にシートが設けられた架台
を備えるようにすることができる。
【００１２】
その場合、前記架台に対して回転自在に設けられた連結腕を介して折りたたみ可能に設けられた補助架台をさらに備え、該補助架台の上部にシートが設けられてなるようにしてもよい。
【考案の効果】
【００１３】
本考案の運動器具によれば、水平支持体と、該水平支持体に設けられた垂直支持体とからなり、かつ該水平支持体に対して垂直方向に延びる垂直支持体を備え、当該垂直支持体から左右両方向それぞれに延びる左アーム部および右アーム部がバネを介して当該垂直支持体に設けられているため、構造が単純で、重量も小さく、そのうえ手や足によって操作される操作アーム部の運動の自由度を高めて、同一の姿勢において複数の運動(exercise)を行える運動器具を提供することができる。
【考案を実施するための最良の形態】
【００１４】
本考案の運動器具について、添付図面を参照しながら以下に詳細に説明する。
【００１５】
図１および２を参照すると、本実施の形態の運動器具は、水平支持体２と、水平支持体２に設けられた垂直支持体３とを備えている。垂直支持体３は、水平支持体２に対して垂直方向に延びている。垂直支持体３から左右両方向それぞれに、左アーム部４および右アーム部５がバネ６を介して垂直支持体３に設けられている。
【００１６】
図１および２に示されているように、本実施の形態において、垂直支持体３は、水平支持体２に、たとえば溶接またはネジなどの固着手段によって固着された内筒１１と（図２参照）、一端において内筒１１に折りたたみ可能に嵌め込まれる内筒受け入れ部１２を備え、他端において左アーム部４および右アーム部５を回転自在かつ入れ子式に支持するための水平部材７と該水平部材に対して垂直に設けられた垂直部材８からなるＴ字状パイプＴの垂直部材８を入れ子式に受け入れるＴ字状パイプＴ受け入れ部１３を備える支持パイプ１０を備え、左アーム部４および右アーム部５が、それぞれ、Ｔ字状パイプＴの水平部材７に入れ子式かつ回動自在に設けられたアーム取付パイプ１４、アーム取付パイプ１４に固着されたバネ取付用ブラケット１５、バネ取付用ブラケット１５にアーム取付パイプ１４に対して垂直方向に延びるように一端が固着された引張コイルバネ６、および引張コイルバネ６の他端に接続ピース１６を介して引張コイルバネ６の軸線６ａの回りに回転自在に設けられた握り部１７を備え（図２参照）、水平支持体２が、垂直支持体３に一端が固着された上部にシートＳ１がネジ２１によって設けられた架台２を備えている（図１参照）。架台２に対して、ボルト・ナット２２ａによって回転自在に設けられた連結腕１８ａを介して、ボルト・ナット２３によって旋回しうるように設けられた連結腕１８ｂとにより、折りたたみ可能に設けられた補助架台２ｂをさらに備えている（図１参照）。また、該補助架台２ｂの上部にはシートＳ２が設けられている（図１参照）。
【００１７】
図１に示されるように、引張コイルバネ６には、たとえばゴムなどの素材から製造されたカバー２４が被覆されているため、握り部１７を操作して力をかけた際に引張コイルバネ６に隙間が生じて、その隙間に、身体の一部や衣服が挟まれることを防止することができる。また、握り部１７にも、同様にたとえばゴムなどの素材から製造されたカバー２４が被覆されているので、過大な力をかけて握り部１７を操作して、手を滑らして握り部１７に身体が打撃されても衝撃を吸収するため、本実施の形態の運動器具は安全面においても優れている。
【００１８】
本実施の形態においては、連結腕１８ａおよび１８ｂが互いに連結部材２２によって接続されている。当該連結部材２２は架台２ａおよび補助架台２ｂの脚としても機能する。また、補助架台２ｂの自由端側にも脚２６が設けられている。脚２２および２６には、例えばゴム、ポリ塩化ビニルなどのある程度弾性を有する材料から製造された滑り止め２５が被覆されうる。このような滑り止め２５を設けると、トレーニング中に運動器具が移動することを防止できる。
【００１９】
如上の構成により、左アーム部４および右アーム部５は、それぞれ、垂直支持体３に対して旋回することができる。
【００２０】
本実施の形態の運動器具１の垂直支持体３は、左アーム部４および右アーム部５それぞれの垂直支持体３に対する旋回角度を調節するために、アーム取付パイプ１４の外面に等間隔に穿設された３〜５の孔１４ａと、該３〜５の孔１４ａに係合するネジ７ａから構成されるアーム旋回角度調節手段３０を備えている。また、アーム旋回角度調節手段３０は、左アーム部４と右アーム部５とのあいだの距離Ｌを調節するためのアーム間隔調節手段としても機能する
また、本実施の形態の場合、接続ピース１６に握り部１７として機能する握り部パイプ１７が挿入されているので、左アーム部４および右アーム部５は、それぞれの軸心６ａ回りに回転可能である。また、握り部パイプ１７に複数の孔（図示されていない）を設けると、ネジ１６ａに係合されることによって、所望の角度に調節することができる。
【００２１】
本実施の形態の場合、Ｔ字状パイプＴ受け入れ部１３がＴ字状パイプＴの垂直部材８を入れ子式に受け入れ、垂直部材８に、たとえば３〜７穿設された孔８ａと孔８ａに係合されている構成が、垂直支持体３の高さを調節すための高さ調節手段として機能する。
【００２２】
また、本実施の形態においては、前述のとおり、水平支持体２に、たとえば溶接またはネジなどの固着手段によって固着された内筒１１と、内筒１１に嵌め込まれる内筒受け入れ部１２とを備えており、内筒１１にはネジＴ１およびＴ２が固着されており、内筒１２を上方に引き上げたとき、内筒受け入れ部１２に形成されたガイド溝Ｇの最下部で係止し（図１参照）、内筒１１に形成されたスリット１２ａの最上部で当接しているネジＴ１およびＴ２がスリット１２ａから離脱して、ネジＴ１がガイド溝Ｇの最下部の嵌合部Ｇａに嵌り内筒受け入れ部１２がネジＴ１を回転軸として旋回するため、垂直支持部３は折りたたみ可能である。
【図面の簡単な説明】
【００２３】
【図１】本考案の一実施の形態を示す側面説明図である。
【図２】図１の正面説明図である。
【符号の説明】
【００２４】
１    運動器具
２    水平支持体
２ａ  架台
２ｂ  補助架台
３    垂直支持体
４    左アーム部
５    右アーム部
６    引張コイルバネ
７    水平部材
７ａ  ネジ
８    垂直部材
８ａ  孔
１０    支持パイプ
１１    内筒
１２    内筒受け入れ部
１２ａ  スリット
１３    Ｔ字状パイプ受け入れ部
１４    アーム取付パイプ
１５    バネ取付用ブラケット
１６    接続ピース
１６ａ  ネジ
１７    握り部
１８ａ  連結腕
１８ｂ  連結腕
２２    連結部材
２２ａ  ボルト・ナット
２２ｂ  ボルト・ナット
２４    カバー
２５    滑り止め
２６    脚
Ｇ    溝
Ｇａ  嵌合部
Ｓ１  シート
Ｓ２  シート
Ｔ    Ｔ字状部材
Ｔ１  ネジ
Ｔ２  ネジ
【図１】
0003107571.tif 000003
【図２】
0003107571.tif 000004